(57)【要約】【課題】作業結果に基づいて作業のスケジュールを修正することができる。【解決手段】管理装置１０は携帯端末２０から送信された作業結果を受信し（ステップＳ１８）受信した作業結果の内容を分析すると共に、工事現場情報ＤＢ部１２に作業結果を記憶する（ステップＳ１９）。作業結果として工事結果が入力された場合、作業達成率が入力されているが、検査結果が入力された場合は、作業達成率の計算を行う。作業達成率の計算は、検査結果が入力された数を全検査対象数で割る、検査を終えた図面数を検査に必要な図面数で割る等により自動で行われる。管理装置は、検査情報テーブルに記憶された計画段階の作業開始日、作業終了日、期間と、実作業の作業達成率等を比較し、現在の作業のスケジュールを立て直す（ステップＳ２０）。これにより、作業結果を反映してスケジュールを自動的に修正することができる。【選択図】  図９
2011053806.tif 000002
【特許請求の範囲】
【請求項１】
作業の実施予定を含む作業情報が記憶された記憶手段と、
外部端末から送信された作業結果を取得する第１取得手段と、
前記記憶手段に記憶された作業の実施予定と前記第１取得手段により取得された作業結果とに基づいて適切な実施予定となるように前記作業の実施予定を修正する修正手段と、
を備えたことを特徴とする管理装置。
【請求項２】
前記記憶手段は、前記作業の実施予定として作業に必要な期間とを記憶し、
前記第１取得手段は、前記作業結果として作業の達成率を取得し、
前記修正手段は、前記作業に必要な期間と、前記作業の達成率とから前記作業に必要な期間を修正することを特徴とする請求項１に記載の管理装置。
【請求項３】
前記記憶手段は、前記作業の実施予定として作業に必要な期間を記憶すると共に、当該作業対象の数に関する情報を記憶し、
前記第１取得手段は、前記作業結果として作業が終了した作業対象の数に関する情報を取得し、
前記修正手段は、前記記憶手段に記憶された作業対象の数に関する情報と、前記第１取得手段により取得された作業が終了した作業対象の数に関する情報とを比較することにより作業の達成率を算出し、当該算出された作業の達成率と、前記記憶手段に記憶された作業に必要な期間とから前記作業に必要な期間を修正することを特徴とする請求項１に記載の管理装置。
【請求項４】
前記修正手段は、
前記記憶手段に記憶された作業の実施予定と前記第１取得手段により取得された作業結果とに基づいて適切な実施予定の候補を求める手段と、
前記求められた候補を外部端末又は表示装置へ出力する出力手段と、
前記出力した結果に基づいて修正内容の入力を受け付ける手段と、
前記受け付けられた修正内容に基づいて前記作業の実施予定を修正する手段と、
を有することを特徴とする請求項１から３のいずれかに記載の管理装置。
【請求項５】
前記管理装置と、前記外部端末である携帯端末とで構成された建設工事管理システムであって、
前記記憶手段は、前記作業の実施予定を含む作業情報と、作業の詳細とを記憶し、
前記管理装置は、前記記憶手段に記憶された作業の詳細を送信する第１送信手段を備え、
前記携帯端末は、
前記第１送信手段から送信された作業の詳細を取得する第２取得手段と、
前記第２取得手段により取得された作業の詳細を表示する表示手段と、
前記作業結果として前記表示手段に表示された作業の詳細に対する検査結果の入力を受け付ける入力手段と、
前記入力手段により入力された作業結果を前記管理装置に送信する第２送信手段と、
を備え、
前記第１取得手段は、前記第２送信手段から送信された作業結果を取得することを特徴とする建設工事管理システム。
【請求項６】
前記記憶手段は、前記作業の実施予定として作業開始日時を記憶し、
前記管理装置は、
現在の日時を取得する第３取得手段と、
前記第３取得手段により取得した現在の日時と、前記記憶手段に記憶された作業開始日時とに基づいて現在の日時から所定の期間内に開始される予定の作業があるか否かを判断する第１判断手段と、を備え、
前記第１送信手段は、前記第１判断手段により所定の期間内に開始される予定の作業があると判断されると、当該所定の期間内に開始される予定の作業についての作業指示を前記携帯端末に送信することを特徴とする請求項５に記載の建設工事管理システム。
【請求項７】
前記記憶手段は、前記作業情報として作業の順番を記憶すると共に、前記第１取得手段が取得した作業結果を記憶し、
前記第１判断手段は、前記所定の期間内に開始される予定の作業があると判断されると、前記記憶手段に記憶された作業の順番と作業結果とに基づいて前記所定の期間内に開始される予定の作業の前に行われるべき作業が終了しているか否かを判断し、
前記第１送信手段は、前記第１判断手段により前記所定の期間内に開始される予定の作業の前に行われるべき作業が終了していると判断された場合には、前記作業指示を送信することを特徴とする請求項６に記載の建設工事管理システム。
【請求項８】
前記第１送信手段は、前記第１判断手段により所定の期間内に開始される予定の作業があると判断されると、当該所定の期間内に開始される予定の作業についての作業の詳細を前記携帯端末に送信可能とすることを特徴とする請求項６又は７に記載の建設工事管理システム。
【請求項９】
前記記憶手段は、前記作業情報として作業現場の位置情報を記憶し、
前記第１送信手段は、前記作業現場の位置情報を送信し、
前記第２取得手段は、前記第１送信手段から送信された作業現場の位置情報を取得し、
前記携帯端末は、
当該携帯端末の現在地の位置情報を取得する位置情報取得手段と、
前記位置情報取得手段により取得された現在地の位置情報と前記第２取得手段により取得された作業現場の位置情報に基づいて、現在地が作業現場に含まれるか否かを判断する第２判断手段と、
前記入力手段は、前記第２判断手段により現在地が作業領域に含まれると判断された場合には、前記表示手段に表示された作業の詳細に対する検査結果の入力を受け付けることを特徴とする請求項６から８のいずれかに記載の建設工事管理システム。
【請求項１０】
外部端末から送信された作業結果を取得するステップと、
記憶手段に記憶された作業の実施予定と、取得された作業結果とに基づいて適切な実施予定となるように前記作業の実施予定を修正するステップと、
を実行することを特徴とする建設工事管理方法。
【請求項１１】
請求項１０に記載の建設工事管理方法を管理装置に実行させることを特徴とする建設工事管理プログラム。
【発明の詳細な説明】
【技術分野】
【０００１】
本発明は管理装置、建設工事管理システム、建設工事管理方法および建設工事管理プログラムに係り、特に建設工事等における日程管理を支援する管理装置、建設工事管理システム、建設工事管理方法および建設工事管理プログラムに関する。
【背景技術】
【０００２】
近年、様々な業界での業務効率化が注目されている。建設・建築業界では、工事現場における検査業務の効率化のため、携帯端末を用いたシステムが提案されている。
【０００３】
特許文献１には、作業者が携帯電話から工事進捗情報をサーバへ報告し、現場監督が管理用パソコンからサーバに保存された進捗情報を確認する建設工事進捗管理システムが記載されている。このシステムではPERT情報と呼ばれる複数工程の管理情報をサーバで管理しており、PERT情報項目には「進捗度合い」が含まれている。「進捗度合い」とは工事完了もしくは予定に対する進み/遅れの程度であり、完了が報告された場合は次工程の作業担当者に工事開始催促メールがサーバから送信される仕組みになっている。
【０００４】
特許文献２には、端末装置に予め登録された登録データ（現場位置情報、検査日程等）と、検査担当者の現在位置情報、当日日付とを照合して適切な検査情報（検査項目、検査方法等）が携帯装置に自動的に表示されるとともに、携帯端末から検査完了有無を入力することができる物件検査用携帯端末装置が記載されている。
【先行技術文献】
【特許文献】
【０００５】
【特許文献１】特開２００２−１１７０９９号公報
【特許文献２】特開２００２−７３７４０号公報
【発明の概要】
【発明が解決しようとする課題】
【０００６】
しかしながら、特許文献１に記載の発明においては、進捗情報の報告と工事開始催促メールの受信にのみ携帯電話が使用可能であり、検査作業や進捗の確認に携帯電話を使用することはできない。また、特許文献１に記載の発明においては、進捗度合い以外の作業内容に関する詳細結果を把握できないという問題がある。したがって、現場監督は、各工事現場へ赴き情報を収集することになると思われる。
【０００７】
特許文献２に記載の発明においては、予め登録された検査日程をキーとして検索するが、登録データと工程管理とが同期していない。したがって、検査日程が変更される度に対応する登録データを書き換えなければならず、ユーザにとって面倒な作業が発生するという問題がある。
【０００８】
また、特許文献１、２に記載の発明においては、工程の作業結果の終了を受けて次の工程に進む場合に、作業の進みや遅れ等が後の工程にどれほどの影響を及ぼすのかを即座に判断できないという問題がある。したがって、工事予定の変更は利用者に委ねられているのが現状である。
【０００９】
さらに、特許文献１、２に記載の発明においては、携帯端末からは各工程の進捗や予定が閲覧できないという問題がある。
【００１０】
本発明は、作業結果に基づいて作業のスケジュールを修正することができる管理装置、建設工事管理システム、作業管理方法および作業管理プログラムを提供することを目的とする。
【課題を解決するための手段】
【００１１】
請求項１に記載の管理装置は、作業の実施予定を含む作業情報が記憶された記憶手段と、外部端末から送信された作業結果を取得する第１取得手段と、前記記憶手段に記憶された作業の実施予定と前記第１取得手段により取得された作業結果とに基づいて適切な実施予定となるように前記作業の実施予定を修正する修正手段と、を備えたことを特徴とする。
【００１２】
請求項１に記載の管理装置によれば、記憶手段に記憶された作業の実施予定と、外部端末から送信された作業結果とに基づいて適切な実施予定となるように作業の実施予定が修正される。これにより、作業結果に基づいて作業のスケジュールを自動的に修正することができる。そのため、作業の遅れ、進みが発生しても、すぐにその結果が反映されたスケジュールを管理することができる。
【００１３】
請求項２に記載の管理装置は、請求項１に記載の管理装置において、前記記憶手段は、前記作業の実施予定として作業に必要な期間とを記憶し、前記第１取得手段は、前記作業結果として作業の達成率を取得し、前記修正手段は、前記作業に必要な期間と、前記作業の達成率とから前記作業に必要な期間を修正することを特徴とする。
【００１４】
請求項２に記載の管理装置によれば、記憶手段に記憶された作業に必要な期間と、外部端末から送信された作業の達成率とに基づいて適切な実施予定となるように作業の実施予定が修正される。これにより、適切な実施期間を自動的に算出することができる。
【００１５】
請求項３に記載の管理装置は、請求項１に記載の管理装置において、前記記憶手段は、前記作業の実施予定として作業に必要な期間を記憶すると共に、当該作業対象の数に関する情報を記憶し、前記第１取得手段は、前記作業結果として作業が終了した作業対象の数に関する情報を取得し、前記修正手段は、前記記憶手段に記憶された作業対象の数に関する情報と、前記第１取得手段により取得された作業が終了した作業対象の数に関する情報とを比較することにより作業の達成率を算出し、当該算出された作業の達成率と、前記記憶手段に記憶された作業に必要な期間とから前記作業に必要な期間を修正することを特徴とする。
【００１６】
請求項３に記載の管理装置によれば、記憶手段に記憶された作業対象の数に関する情報と、外部端末から送信された作業が終了した作業対象の数に関する情報とを比較することにより作業の達成率が算出される。記憶手段に記憶された作業に必要な期間と、算出された作業の達成率とに基づいて適切な実施予定となるように作業の実施予定が修正される。これにより、作業の結果を入力することで自動的に作業の達成率を算出することができる。したがって、作業者が達成率を入力する必要が無く、作業を単純化し、作業効率を良くすることができる。
【００１７】
請求項４に記載の管理装置は、請求項１から３のいずれかに記載の管理装置において、前記修正手段は、前記記憶手段に記憶された作業の実施予定と前記第１取得手段により取得された作業結果とに基づいて適切な実施予定の候補を求める手段と、前記求められた候補を外部端末又は表示装置へ出力する出力手段と、前記出力した結果に基づいて修正内容の入力を受け付ける手段と、前記受け付けられた修正内容に基づいて前記作業の実施予定を修正する手段と、を有することを特徴とする。
【００１８】
請求項４に記載の管理装置によれば、記憶手段に記憶された作業の実施予定と、外部端末から送信された作業結果とに基づいて適切な実施予定の候補が求められ、求められた候補が外部端末又は表示装置へ出力され、出力された結果に基づいて修正内容の入力を受け付け、受け付けられた修正内容に基づいて作業の実施予定が修正される。これにより、ユーザ（例えば、管理者）の考えが反映された工程スケジュールに修正することができる。また、手動で入力する場合にも、工程スケジュールの修正候補は自動的に求められるため、工程スケジュールの修正候補が適切な場合には、修正候補を入力する手間を省くことができる。
【００１９】
請求項５に記載の建設工事管理システムは、前記管理装置と、前記外部端末である携帯端末とで構成された建設工事管理システムであって、前記記憶手段は、前記作業の実施予定を含む作業情報と、作業の詳細とを記憶し、前記管理装置は、前記記憶手段に記憶された作業の詳細を送信する第１送信手段を備え、前記携帯端末は、前記第１送信手段から送信された作業の詳細を取得する第２取得手段と、前記第２取得手段により取得された作業の詳細を表示する表示手段と、前記作業結果として前記表示手段に表示された作業の詳細に対する検査結果の入力を受け付ける入力手段と、前記入力手段により入力された作業結果を前記管理装置に送信する第２送信手段と、を備え、前記第１取得手段は、前記第２送信手段から送信された作業結果を取得することを特徴とする。
【００２０】
請求項５に記載の建設工事管理システムによれば、管理装置には作業の実施予定を含む作業情報と、作業の詳細とが記憶され、これが携帯端末に送信される。携帯端末では、取得された作業の詳細が表示され、表示された作業の詳細に対する検査結果の入力が受け付けられ、入力された作業結果が管理装置に送信される。これにより、携帯端末と管理装置とからなる建設工事管理システムを提供することができる。また、責任者が現場に赴くことなく、情報を収集でき、検査結果を一元管理することができる。
【００２１】
請求項６に記載の建設工事管理システムは、請求項５に記載の建設工事管理システムにおいて、前記記憶手段は、前記作業の実施予定として作業開始日時を記憶し、前記管理装置は、現在の日時を取得する第３取得手段と、前記第３取得手段により取得した現在の日時と、前記記憶手段に記憶された作業開始日時とに基づいて現在の日時から所定の期間内に開始される予定の作業があるか否かを判断する第１判断手段と、を備え、前記第１送信手段は、前記第１判断手段により所定の期間内に開始される予定の作業があると判断されると、当該所定の期間内に開始される予定の作業についての作業指示を前記携帯端末に送信することを特徴とする。
【００２２】
請求項６に記載の建設工事管理システムによれば、現在の日時と作業開始日時とに基づいて現在の日時から所定の期間内に開始される予定の作業があるか否かが判断され、所定の期間内に開始される予定の作業があると判断されると、所定の期間内に開始される予定の作業についての作業指示が携帯端末に送信される。これにより、作業を開始すべきであることを作業者に通知することができる。
【００２３】
請求項７に記載の建設工事管理システムは、請求項６に記載の建設工事管理システムにおいて、前記記憶手段は、前記作業情報として作業の順番を記憶すると共に、前記第１取得手段が取得した作業結果を記憶し、前記第１判断手段は、前記所定の期間内に開始される予定の作業があると判断されると、前記記憶手段に記憶された作業の順番と作業結果とに基づいて前記所定の期間内に開始される予定の作業の前に行われるべき作業が終了しているか否かを判断し、前記第１送信手段は、前記第１判断手段により前記所定の期間内に開始される予定の作業の前に行われるべき作業が終了していると判断された場合には、前記作業指示を送信することを特徴とする。
【００２４】
請求項７に記載の建設工事管理システムによれば、所定の期間内に開始される予定の作業があると判断されると、記憶手段に記憶された作業の順番と作業結果とに基づいて所定の期間内に開始される予定の作業の前に行われるべき作業が終了しているか否かが判断され、所定の期間内に開始される予定の作業の前に行われるべき作業が終了していると判断された場合には、所定の期間内に開始される予定の作業についての作業指示が携帯端末に送信される。これにより、誤った作業指示を送信することを防止することができる。
【００２５】
請求項８に記載の建設工事管理システムは、請求項６又は７に記載の建設工事管理システムにおいて、前記第１送信手段は、前記第１判断手段により所定の期間内に開始される予定の作業があると判断されると、当該所定の期間内に開始される予定の作業についての作業の詳細を前記携帯端末に送信可能とすることを特徴とする。
【００２６】
請求項８に記載の建設工事管理システムによれば、所定の期間内に開始される予定の作業があると判断されると、所定の期間内に開始される予定の作業についての作業の詳細が携帯端末に送信される。これにより、開始予定から所定の期間内になって初めて携帯端末を用いて作業を行うことができるようになる。
【００２７】
請求項９に記載の建設工事管理システムは、請求項６から８のいずれかに記載の建設工事管理システムにおいて、前記記憶手段は、前記作業情報として作業現場の位置情報を記憶し、前記第１送信手段は、前記作業現場の位置情報を送信し、前記第２取得手段は、前記第１送信手段から送信された作業現場の位置情報を取得し、前記携帯端末は、当該携帯端末の現在地の位置情報を取得する位置情報取得手段と、前記位置情報取得手段により取得された現在地の位置情報と前記第２取得手段により取得された作業現場の位置情報に基づいて、現在地が作業現場に含まれるか否かを判断する第２判断手段と、前記入力手段は、前記第２判断手段により現在地が作業領域に含まれると判断された場合には、前記表示手段に表示された作業の詳細に対する検査結果の入力を受け付けることを特徴とする。
【００２８】
請求項９に記載の建設工事管理システムによれば、携帯端末の現在地の位置情報が、管理装置に記憶された作業現場の位置情報に含まれると判断された場合には、携帯端末で作業の詳細に対する検査結果の入力が受け付けられる。これにより、各作業が登録されている現場でしか作業を行うことができないようにすることができる。また、誤った位置の作業内容が表示されることが無く、安全性を高めることができる。
【００２９】
請求項１０に記載の建設工事管理方法は、外部端末から送信された作業結果を取得するステップと、記憶手段に記憶された作業の実施予定と、取得された作業結果とに基づいて適切な実施予定となるように前記作業の実施予定を修正するステップと、を実行することを特徴とする。
【００３０】
請求項１１に記載の作業管理プログラムは、請求項１０に記載の建設工事管理方法を管理装置に実行させることを特徴とする。
【発明の効果】
【００３１】
本発明によれば、作業結果に基づいて作業のスケジュールを修正することができる。
【図面の簡単な説明】
【００３２】
【図１】建設工事管理システム１の概略構成図である。
【図２】建設工事管理システム１の概略ブロック図である。
【図３】建設工事管理システム１の検査情報テーブルの一例である。
【図４】建設工事管理システム１の登録処理のフローチャートである。
【図５】建設工事管理システム１の作業指示送信処理のフローチャートである。
【図６】建設工事管理システム１の携帯端末を用いた工事又は検査処理のフローチャートである。
【図７】建設工事管理システム１の検査チェックシートの表示例を示す図である。
【図８】建設工事管理システム１の検査結果の入力画面の表示例を示す図である。
【図９】建設工事管理システム１の工程スケジュール修正処理のフローチャートである。
【図１０】建設工事管理システム１の作業結果テーブルの一例である。
【図１１】建設工事管理システム１の工程スケジュールの修正を模式的に示す図である。
【図１２】建設工事管理システム１の進捗閲覧処理のフローチャートである。
【図１３】建設工事管理システム２の工程スケジュール修正処理のフローチャートである。
【図１４】建設工事管理システム３の概略ブロック図である。
【図１５】建設工事管理システム３の検査情報テーブルの一例である。
【図１６】建設工事管理システム３の携帯端末を用いた工事又は検査処理のフローチャートである。
【発明を実施するための形態】
【００３３】
＜第１の実施の形態＞
図１、図２は本発明の第１の実施の形態に係る建設工事管理システム１の概略構成を示す。このシステムは、主として、管理装置１０、携帯端末２０で構成される。管理装置１０と携帯端末２０とは、移動体通信網、インターネットおよびＬＡＮなどで構築されたネットワークを介して相互に接続可能である。
【００３４】
管理装置１０は、工事現場情報や工程、作業結果を管理するものであり、携帯端末２０を用いて作業が行われるとその作業結果を登録し、工程スケジュールに反映させる。管理装置１０は、図２に示すように、主として、処理部１１、工事現場情報ＤＢ部１２、入力部１３、表示部１４、通信部１５等で構成される。
【００３５】
処理部１１は、管理装置１０全体の動作を統括制御する。処理部１１は、所定のプログラムに従って動作を制御する制御手段として機能する。処理部１１はメモリ領域を有し、メモリ領域には、処理部１１が実行するプログラム及び制御に必要な各種データ等が格納される。
【００３６】
工事現場情報ＤＢ部１２は、ハードディスクユニットのような大容量処理部の記憶媒体で構成される。工事現場情報ＤＢ部１２に蓄積される検査情報は、図３に示すように、現場情報、作業情報からなる。検査情報として、現場情報と作業情報とが各作業毎に関連付けられて登録される。現場情報には、工事現場の現場名等の現場を特定するプロフィール情報が登録される。作業情報には、工程管理に必要となる各作業の作業番号、作業項目、作業名と、作業の順番を示す前作業番号と、作業開始日、作業終了日、作業に要する期間（日数）等の作業の実施予定を示す情報からなる工程スケジュールとが登録される。
【００３７】
作業番号とは、工程を示すものであり、例えば作業番号「１」は１番目の工程であり、作業番号「２」は２番目の工程であることを示す。前作業番号とは、当該作業がどの作業を終えてから開始できるようになるのか、即ち作業の順番を示すものであり、例えば、作業番号「２」の前作業番号は「１」であり、これは作業番号「２」の作業は作業番号「１」の作業が終了したら開始できることを示す。また、作業番号「５」の前作業番号は「１」、「３」であり、これは作業番号「５」の作業は作業番号「１」及び「３」の作業が終了したら開始でき、作業番号「２」、「４」は作業番号「５」の作業に関係がないことを示す。
【００３８】
入力部１３は、マウス、キーボード等であり、工事現場情報や計画時の工程等を入力する。入力部１３により入力された結果は処理部１１へ入力され、入力が行われたか否か、どのボタンへの入力が行われたか等が検出される。
【００３９】
表示部１４は、可能なＣＲＴモニタ、液晶モニタ等のカラー表示がディスプレイであり、処理部１１から出力された各種管理情報等を表示する。
【００４０】
通信部１５は、携帯端末２０との間で、移動体通信網を介して音声、画像その他のデータを通信する。
【００４１】
携帯端末２０は、公知の携帯電話やＰＤＡなどで構成でき、図２に示すように、主として、処理部２１、入力部２２、表示部２３、通信部２４等で構成される。また、携帯端末２０は、送話音声を入力するマイクロフォンと、受話音声を出力するスピーカと、マイクロフォンから入力された音声の符号化及び受信した音声の復号化を行う音声処理部等の音声の通話に関わる回路を備えるが、これらは必須ではない。
【００４２】
処理部２１は、携帯端末２０全体の動作を統括制御する。処理部２１は、所定のプログラムに従って動作を制御する制御手段として機能する。処理部２１はメモリ領域を有し、メモリ領域には、処理部２１が実行するプログラム及び制御に必要な各種データ等が格納される。
【００４３】
入力部２２は、カーソルを上下左右方向へ移動させる十字キー、数字、文字（漢字、英数字）等の入力を行うテンキー等からなり、作業結果を入力する。入力部２２により入力された結果は処理部２１へ入力され、入力が行われたか否か、どのボタンへの入力が行われたか等が検出される。
【００４４】
表示部２３は、カラー表示が可能な液晶ディスプレイ、有機ＥＬ等のディスプレイである。表示部２３は、管理装置１０から送信された現場情報や工程、作業情報や作業結果が表示されると共に、各種設定操作を行なう際のユーザインターフェース（ＧＵＩ）表示パネルとして利用される。
【００４５】
通信部２４は、管理装置１０との間で、移動体通信網を介して音声、画像その他のデータを通信する。
【００４６】
このようにして構成された建設工事管理システム１の作用について説明する。この建設工事管理システム１の処理を管理装置１０および携帯端末２０に実行させるためのプログラムは管理装置１０や携帯端末２０の処理部内のメモリ領域又は図示しない記憶媒体に記憶されている。
【００４７】
１．登録処理
図４は、管理装置１０が現場情報及び作業情報を登録する登録処理のフローチャートである。
【００４８】
作業者により、入力部１３から現場情報が入力され（ステップＳ１）、その現場情報に対する計画段階での作業情報が入力される（ステップＳ２）。処理部１１は、ステップＳ１、Ｓ２で入力された現場情報及び作業情報を取得し、これらを関連付けて工事現場情報ＤＢ部１２に記憶させる（ステップＳ３）。これにより、図３に示すように、現場情報及び作業情報からなるテーブル（以下、検査情報テーブルという）が工事現場情報ＤＢ部１２に登録される。
【００４９】
２．作業指示送信処理
図５は、管理装置１０から携帯端末２０へ作業指示を送信する処理のフローチャートである。
【００５０】
処理部１１は、現在の日付、時刻を取得すると共に、工事現場情報ＤＢ部１２から検査情報テーブルを取得する。そして、処理部１１は、現在の日付、時刻と、検査情報テーブル内の作業開始日とを比較し、検査情報テーブル内の作業開始日が、現在の日付から所定の日数（Ｘ日とする）以内である工程があるか否かを判断する（ステップＳ４）。閾値であるＸ日は、操作者が入力部１３を介して設定値を入力することにより設定することができる。
【００５１】
ステップＳ４では、処理部１１は、検査情報テーブルに記憶されている各工程について比較及び判断を行う。現在の日付、時刻は、管理装置１０内の図示しない内部時計から取得しても良いし、通信部１５を介して外部サーバ等から取得しても良い。
【００５２】
検査情報テーブル内の作業開始日が、現在の日付から所定の日数以内の作業がある場合には、処理部１１は、現在の日付から所定の日数以内に作業開始日がくる作業の作業番号を認識する。そして、処理部１１は、検査情報テーブルを参照し、その作業番号の前作業が終了しているか否かを判断する（ステップＳ５）。
【００５３】
携帯端末２０から作業結果が入力されると、管理装置１０は、工事現場情報ＤＢ部１２に作業結果（達成率）を記憶させる（後に詳述）。したがって、処理部１１は、検査情報テーブルから該当する作業番号の前作業番号を取得し、前作業番号に登録されている作業番号の作業に関連付けられている達成率の情報から前作業が終了しているか否かを判断することができる。
【００５４】
ステップＳ４により検査情報テーブル内の作業開始日が、現在の日付から所定の日数（Ｘ日とする）以内である工程があると判断され、ステップＳ５で作業番号の前作業が終了していると判断された（ステップＳ５でＹＥＳ）場合には、処理部１１は、通信部１５を介して作業開始通知を携帯端末２０へ送信する（ステップＳ６）。通知方法は、電子メールなどの公知の方法でよい。
【００５５】
ステップＳ４において検査情報テーブル内の作業開始日が、現在の日付から所定の日数以内である工程があると判断されなかった場合は、作業開始は先のことであるため、作業開始の指示を送信せず、処理を終了する。また、ステップＳ４において検査情報テーブル内の作業開始日が、現在の日付から所定の日数以内である工程があると判断され、ステップＳ５で作業番号の前作業が終了していると判断されなかった（ステップＳ５でＮＯ）場合には、まだ作業ができない場合であるため、作業開始の指示を送信せず、処理を終了する。これにより、誤った作業指示を送信することを防止することができる。
【００５６】
これにより、各工程の作業開始時期が近づくと、携帯端末２０へ作業指示が自動的に送信される。したがって、作業を開始すべきであることを作業者に通知することができる。
３．携帯端末を用いた工事又は検査処理
図６は、携帯端末２０を用いた工事処理又は検査処理のフローチャートである。この処理は、図５に示す作業指示送信処理により携帯端末２０へ作業指示が送信された後で行なわれる。すなわち、開始予定から所定の期間内になって始めて携帯端末を用いて作業を行うことができるようになる。
【００５７】
作業指示を受信した携帯端末２０の処理部２１は、アプリケーションを起動し（ステップＳ７）、作業を行う現場がどこであるかの選択入力を入力部２２を介して受け付ける（ステップＳ８）。原則として、ある時点において１つの現場で行われる作業は１つであると想定されるため、複数の作業が指示された場合には、現場を入力することにより、行うべき作業を指定することができる。
【００５８】
１つの現場で行われる作業が１つで無い場合を想定し、複数の作業の中から所望の作業を選択するステップを追加してもよい。この場合には、作業を行う現場がどこであるかの選択入力の結果を管理装置１０に送信し、管理装置１０の処理部１１が作業を行う現場がどこであるかの選択入力の結果に基づいて対象の作業の一覧を携帯端末２０に送信し、携帯端末２０の処理部２１が一覧を表示部２３に表示し、入力部２２からの選択入力を受け付けるようにすれば良い。
【００５９】
処理部２１は、ステップＳ７で選択入力された内容を通信部２４を介して管理装置１０に送信する。管理装置１０の処理部１１は、ステップＳ８で選択入力された内容を受信し、その作業の詳細を通信部１５を介して携帯端末２０に送信する（ステップＳ９）。これにより、携帯端末２０で作業開始が可能となる。なお、管理装置１０は、作業の詳細として、作業名、作業項目、作業開始日、作業終了日等の検査情報テーブルに記載された内容と、作業の具体的な内容とを携帯端末２０に送信する。作業の具体的な内容は、管理装置１０内の図示しない記憶手段等に記憶されており、処理部２１は、検査情報テーブルの作業番号をキーとして記憶手段等を検索することにより所望の作業の具合的な内容を取得できる。
【００６０】
処理部２１は、ステップＳ９で管理装置１０から送信された作業の詳細を通信部２４を介して受信し、受信した情報に基づいて現場の作業の種類を判別する（ステップＳ１０）。作業の種類は、検査情報テーブルに作業項目として登録されているため、処理部２１は、作業項目を参照することにより作業の種類が判別可能である。
【００６１】
作業の種類が「工事」であった場合には、処理部２１は、受信した作業の詳細を所定のフォーマットで表示部２３に表示する（ステップＳ１１）。これにより、工事支援を行うことができる。処理部２１は、作業の詳細のほかに、工事における注意事項などを表示部２３に表示しても良い。
【００６２】
処理部２１は、入力部２２を介して工事結果の入力を受け付ける（ステップＳ１２）。作業の種類が「工事」である場合には、作業の種類が「検査」である場合（ステップＳ１３、Ｓ１４、後に詳述）と異なり、詳細な作業内容が管理装置１０から送信されないため、各作業内容に対して結果を入力することで作業達成率を計算することはできない。したがって、ステップＳ１２における工事結果の入力としては、作業達成率を入力する方法を採用する。
【００６３】
携帯端末２０が撮影機能（図示せず）を有する場合には、写真撮影により作業経過をおさめるようにしてもよい。これにより、作業の進捗を把握することができる。
【００６４】
作業の種類が「検査」であった場合には、処理部２１は、受信した作業の詳細を所定のフォーマットで表示部２３に表示する（ステップＳ１３）。
【００６５】
「検査」の場合には、具合的な内容（検査情報）として、検査図面（見取り図面（伏図）等）、検査種類（配筋検査など）、検査箇所（建物の階数、図面上の座標など）、検査対象（柱、梁、壁など）、検査項目（鉄筋本数、異常種別など）などが検査毎に管理装置１０から送信される。
【００６６】
処理部２１は、検査情報および検査図面の配置パターンと表示形式を規定したテンプレートに検査情報を入力することにより、図７に示すように、図面上に検査対象の位置（検査ポイント）が表示された検査画面を表示部２３に表示する。
【００６７】
処理部２１は、例えば、入力部２２から図面上に配置された各検査ポイントに対応する数字キーの押下を受け付けることで検査ポイントを選択する。
【００６８】
検査ポイントが選択されると、処理部２１は、図８に示すように、選択された検査ポイントに対応する検査内容などが表示された入力画面を表示部２３に表示させる。配筋検査を例に説明すると、この画面では、検査ポイント「１」に対応する柱の部材を示す断面図が具体的な検査項目（部材の種類、数、ピッチなど）とともに表示されている。また、各検査項目がＯＫ（合格）かＮＧ（不合格）かを入力可能なチェックボックスも表示されている。その他、検査における注意事項などを表示するようにしても良い。
【００６９】
作業者は、この入力画面を見ながら検査を行う。作業者により入力部２２を介して検査結果が入力されると、処理部２１は入力結果を受け付ける（ステップＳ１４）。携帯端末を利用して検査作業を行うことができるため、作業達成率は自動的に計算される（後に詳述）。したがって、作業達成率等の入力が不要であり、業務の効率化を図ることができる。計算ができない作業の場合のみ作業達成率を入力するようにすればよい。
【００７０】
携帯端末２０が撮影機能（図示せず）を有する場合には、撮影して得られた写真データを該当作業に関連付けて取得する。更に詳細な情報を写真データに関連付けたい場合には、例えば、図８に示す入力画面上でどの方角から被写体を撮影するか（撮影ポイント）を指定してもよい。
【００７１】
これにより、作業の進捗がシステムで管理可能となる。処理部２１は、ステップＳ１１又はＳ１３で入力された作業結果を通信部２４を介して管理装置１０へ送信する（ステップＳ１５）。
【００７２】
作業者が、半日単位や１日単位などの作業の区切りに、作業終了を示す指示を入力部２２から入力する（ステップＳ１６）と、処理部２１はこれを検出し、アプリケーションを終了する（ステップＳ１７）。なお、区切りの単位は任意であり、運用で決めればよい。
４．工程スケジュール修正処理
図９は、管理装置１０が作業結果を受信し、工程スケジュールを修正する処理のフローチャートである。
【００７３】
管理装置１０は、通信部１５を介して携帯端末２０から送信された作業結果を受信する（ステップＳ１８）。
【００７４】
管理装置１０の処理部１１は、受信した作業結果の内容を分析すると共に、工事現場情報ＤＢ部１２に作業結果を記憶する（ステップＳ１９）。内容の分析とは、受信した作業結果と、検査情報テーブルに記憶された情報とに基づいて作業達成率を算出する処理である。
【００７５】
作業結果として工事結果が入力された場合（ステップＳ１２）は、作業達成率が入力されているため、内容の分析は必要なく、作業結果の記録のみを行う。
【００７６】
作業結果として検査結果が入力された場合（ステップＳ１４）は、処理部１１は作業達成率を計算する。図７に示すように検査対象の数が予め決まっている場合には、処理部１１は、何箇所の検査を終えたか（何箇所の検査対象の検査結果が入力されたか）を全て検査対象数で割ることにより自動で作業達成率を計算することができる。検査対象が予め決まっていない場合、不特定多数の検査対象がある場合等には、処理部１１は、検査を終えた図面数を検査に必要な図面数で割ることより、自動で作業達成率を計算することができる。
【００７７】
処理部１１は、図１０に示すように、作業番号と、携帯端末２０に作業結果が入力された日時（作業更新日時）と、達成率とが関連付けられたテーブル（以下、作業結果テーブルという）を工事現場情報ＤＢ部１２に記憶する。詳細な作業結果は、工事現場情報ＤＢ部１２の所定のフォルダに記憶され、図１０に示すように、そのフォルダへのパス（リンク）が作業結果テーブルに記憶される。詳細な作業結果は、工事や検査の写真データや検査結果情報（コメント、再検査箇所の履歴など）、その他登録情報（作業開始日、作業終了日）である。処理部１１は、最初に携帯端末２０から作業結果が送信された日を作業開始日として記憶し、最後に携帯端末２０から作業結果が送信された日を作業終了日として記憶する。なお、処理部１１は、入力部２２により最初に検査結果が入力された日を作業開始日、最後に入力された日を作業終了日として処理部２１に記憶された情報を携帯端末２０から受信し、これを作業開始日、作業終了日として記憶するようにしてもよい。
【００７８】
処理部１１は、ステップＳ１９で記憶された作業結果テーブルに基づいて工程スケジュールを修正する（ステップＳ２０）。処理部１１は、検査情報テーブルに記憶された計画段階の作業開始日、作業終了日、期間と、実作業の作業達成率等を比較し、現在の作業のスケジュールを立て直す。
【００７９】
ステップＳ１８〜Ｓ２０の処理を、図１１に示す修正前後の工程スケジュールの模式図を用いて説明する。現在、検査情報テーブルに登録されている作業番号４についての作業情報は、図１１（ａ）に示すように、作業開始日が２００９年７月６日、作業終了日が２００９年７月９日、期間が３日間である。しかしながら、実際は、図１１（ｂ）に示すように、検査２を行うことにより工事２の修正が必要と判明した。したがって、ステップＳ１４において、作業者により、工事２に対する修正指示と、工事２の修正後に再度検査２を行う場合を１００％としたときの現在の達成率（この場合は、作業達成率が自動的に計算できない場合であるため、達成率の入力が必要）とが入力され、ステップＳ１８でこれが受信される。
【００８０】
ステップＳ１４で入力され、ステップＳ１９で受信された作業番号４についての作業結果が、現在日時が２００９年７月７日１７：００、達成率５０％であるとすると、ステップＳ１９において、検査情報テーブルに登録されている作業開始日と、受信した現在日時と達成率とから、作業開始から２日間で達成率が５０％であり、１００％完了するにはあと２日間かかることが算出される。したがって、検査情報テーブルに登録されている期間「３日間」を「４日間」に修正すべきであると判断される。それにあわせて、作業終了日を１日延ばして２００９年７月１０日にすべきであると判断される。
【００８１】
そして、ステップＳ２０において、図１１（ｃ）に示すように、修正すべきと判断された期間、作業終了日となるように、検査情報テーブルが修正される。それに合わせて、その後の作業のスケジュールについても修正される。
【００８２】
これにより、作業結果を反映してスケジュールを自動的に修正することができる。
５．進捗閲覧処理
図１２は、管理装置１０に登録されている現場情報や工程スケジュール、作業結果を携帯端末２０から閲覧する処理のフローチャートである。
【００８３】
携帯端末２０の処理部２１は、アプリケーションを起動し（ステップＳ２１）、作業を行う現場がどこであるかの選択入力を受け付ける入力画面を表示部２３に表示すると共に、入力部２２を介して選択入力を受け付ける（ステップＳ２２）。
【００８４】
処理部２１は、閲覧対象の選択入力画面を表示部２３に表示するとともに、入力部２２を介して閲覧対象の選択入力を受け付ける（ステップＳ２３）。処理部２１は、選択入力を検出し、選択入力された閲覧対象が工程スケジュールなのか、作業結果なのかを判断する（ステップＳ２４）。
【００８５】
閲覧対象が工程であった場合は、処理部２１は、ステップＳ２１で選択入力された現場の情報と、工程閲覧であることを示す情報とを通信部２４を介して管理装置１０に送信する。管理装置１０の処理部１１は、通信部１５を介してステップＳ２１で選択入力された現場の情報と、工程閲覧であることを示す情報とを受信し、ステップＳ２１で選択入力された現場の現場情報及び工程スケジュールを検査情報テーブルから取得し、通信部１５を介して携帯端末２０に送信する。携帯端末２０の処理部２１は、管理装置１０から送信された現場情報及び工程スケジュールを通信部２４を介して受信し、表示部２３に表示する（ステップＳ２５）。これにより、作業者は、所望の現場情報及び工程スケジュールを確認することができる。
【００８６】
閲覧対象が作業結果であった場合は、処理部２１は、ステップＳ２１で選択入力された現場の情報と、作業結果閲覧であることを示す情報とを通信部２４を介して管理装置１０に送信する。管理装置１０の処理部１１は、通信部１５を介してステップＳ２１で選択入力された現場の情報と、作業結果閲覧であることを示す情報とを受信し、ステップＳ２１で選択入力された現場についての作業結果を作業結果テーブルから抽出し、一覧情報を生成する。一覧情報は、通信部１５を介して携帯端末２０へ送信され、携帯端末２０の処理部２１は、通信部２４を介して一覧情報を受信し、表示部２３に表示する。これにより、作業者は、表示部２３に表示された一覧情報から所望の作業が選択可能となる。そして、作業者により入力部２２から作業の選択が入力される（ステップＳ２６）。
【００８７】
処理部２１は、ステップＳ２６で選択された作業を検出し、選択された作業を示す情報を通信部２４を介して管理装置１０に送信する。管理装置１０の処理部１１は、選択された作業を示す情報を受信し、作業結果テーブルを参照して、選択された作業の作業結果を工事現場情報ＤＢ部１２から取得する。選択された作業の作業結果は通信部１５を介して携帯端末２０に送信され、携帯端末２０の処理部２１は、通信部２４を介して選択された作業の作業結果を受信し、表示部２３に表示する（ステップＳ２７）。これにより、作業者は、所望の作業結果を確認することができる。
【００８８】
閲覧作業の終了を示す情報が入力部２２から入力されると、処理部２１はこれを検出し（ステップＳ２８）、アプリケーションを終了する（ステップＳ２９）。
【００８９】
本実施の形態によれば、責任者が現場に赴くことなく、情報を収集でき、作業結果を一元管理することができる。また、作業結果が一元管理されているため、次の作業担当者が進捗を把握することができる。
【００９０】
また、本実施の形態によれば、作業情報や作業結果の閲覧は管理装置からでも携帯端末からでも行うことができるため、複数のユーザが情報を共有することができる。
【００９１】
また、本実施の形態によれば、作業結果に基づいて作業のスケジュールを自動的に修正することができる。そのため、作業の遅れ、進みが発生しても、すぐにその結果が反映されたスケジュールを管理することができる。
【００９２】
なお、本実施の形態では、工事と検査との両方の作業を管理したが、工事のみの管理でも良いし、検査のみの管理でもよい。また、携帯端末を工事用の携帯端末と検査用の携帯端末とに分け、管理装置１０はどちらの携帯端末からの指示入力かを判断し、判断結果に応じて送信する情報を限定しても良い。
【００９３】
また、本実施の形態では、検査情報テーブル内の作業開始日が、現在の日付から所定の日数以内である場合には、作業指示送信処理により管理装置１０から携帯端末２０へ作業指示が送信し（ステップＳ６）、携帯端末２０が作業を行う現場がどこであるかの選択入力を受け付け（ステップＳ７、Ｓ８）、その作業の詳細を携帯端末２０に送信した（ステップＳ９）が、現場の選択入力（ステップＳ７、Ｓ８）や作業指示の送信（ステップＳ６）は必須ではない。すなわち、現在の日付から所定の日数以内である場合に、現在の日付から所定の日数以内に開始予定日がくる作業の詳細を送信可能とするのであれば、どのような態様でもよい。例えば、検査情報テーブル内の作業開始日が、現在の日付から所定の日数以内である場合には、現場の選択入力（ステップＳ７、Ｓ８）に応じて作業の詳細を携帯端末２０に送信してもよいし、検査情報テーブル内の作業開始日が、現在の日付から所定の日数以内である場合には、自動的に作業の詳細を携帯端末２０に送信するようにしてもよい。この場合においても、開始予定から所定の期間内になって始めて携帯端末を用いて作業ができるようになるという効果が得られる。
【００９４】
＜第２の実施の形態＞
本発明の第２の実施の形態は、手動で工程スケジュールを修正する形態である。以下、第２の実施の形態に係る建設工事管理システム２について説明する。建設工事管理システム２の構成は建設工事管理システム１と同一であるため、説明を省略する。また、建設工事管理システム２の作用（１．登録処理、２．作業指示送信処理、３．携帯端末を用いた工事又は検査処理、４．工程スケジュール修正処理、５．進捗閲覧処理）のうち、４．工程スケジュール修正処理以外は建設工事管理システム１と同一であるため、４．工程スケジュール修正処理についてのみ説明し、その他の処理については説明を省略する。
【００９５】
図１３は、建設工事管理システム２の工程スケジュール修正処理のフローチャートを示す。第１の実施の形態と同一の部分については、同一の符号を付し、詳細な説明を省略する。この処理を管理装置１０に実行させるためのプログラムは管理装置１０の処理部のメモリ領域又は図示しない記憶媒体に記憶されている。この処理は、３．携帯端末を用いた工事又は検査処理において、携帯端末２０から作業結果が管理装置１０へ送信された（ステップＳ１５）後で開始される。
【００９６】
管理装置１０は、ステップＳ１５で通信部１５を介して携帯端末２０から送信された作業結果を受信する（ステップＳ１８）。処理部１１は、工程スケジュール修正処理を行う現場の選択入力を入力部１３を介して受け付ける（ステップＳ３０）。また、処理部１１は、ステップＳ１８で受信した作業結果の内容を分析すると共に、工事現場情報ＤＢ部１２に作業結果を記憶する（ステップＳ１９）。
【００９７】
処理部１１は、検査情報テーブルに記憶された計画段階の作業開始日、作業終了日、期間と、ステップＳ１９で記憶された作業結果テーブルとを参照し、ステップＳ３０で選択入力された現場の工程スケジュールの修正の候補を求める（ステップＳ３１）。
【００９８】
ステップＳ３１の処理について、検査情報テーブルに登録されている作業情報が作業番号４、作業開始日が２００９年７月６日、作業終了日が２００９年７月９日、期間が３日間であり、ステップＳ１８で携帯端末２０から受信した作業結果が作業番号４、現在日時が２００９年７月７日１７：００、達成率５０％である場合を例に説明する。
【００９９】
処理部１１は、検査情報テーブルに登録されている作業開始日と、受信した現在日時と達成率とから、作業開始から２日間で達成率が５０％であり、１００％完了するにはあと２日間かかること、及び期間は４日間であることを算出する。また、処理部１１は、算出した期間に基づいて適切な作業終了日は２００９年７月１０日であることを求める。
【０１００】
処理部１１は、ステップＳ３１で求められた工程スケジュールの修正候補を表示部１４に表示し、入力部１３から入力された修正内容で工事現場情報ＤＢ部１２に記憶された検査情報テーブルを修正する（ステップＳ３２）。
【０１０１】
ステップＳ３２の処理について説明する。ステップＳ３１で求められた工程スケジュールの修正候補が表示部１４に表示されるとともに、工程スケジュールの修正候補を確定するか否かの入力を促す表示が表示される。工程スケジュールの修正候補と共に、検査情報テーブルに記憶された工程スケジュールが表示部１４に表示されるようにしても良い。
【０１０２】
入力部１３から工程スケジュールの修正候補を確定することを示す入力があった場合には、処理部１１では、工程スケジュールの修正候補が工程スケジュールの修正内容として確定されたことが検出される。入力部１３から工程スケジュールの修正候補を確定しないことを示す入力があった場合には、処理部１１でこれが検出され、工程スケジュールの修正候補の修正入力を促す表示が表示部１４に表示される。入力部１３から工程スケジュールの修正候補の修正入力が入力された場合には、処理部１１でこれが検出され、工程スケジュールの修正候補の修正入力の結果が工程スケジュールの修正内容として確定されたことを検出する。
【０１０３】
工事現場情報ＤＢ部１２に記憶された検査情報テーブルは、このようにして確定された工程スケジュールの修正内容で修正される。
【０１０４】
処理部１１は、ステップＳ３２で確定、修正された修正内容に合わせて、その後の作業のスケジュールについても修正する（ステップＳ３３）。これにより、作業結果を反映してスケジュールが修正される。
【０１０５】
本実施の形態によれば、分析された工程スケジュールがユーザが望むスケジュールと異なる場合には、ユーザの考えが反映された工程スケジュールに修正することができる。また、手動で入力する場合にも、工程スケジュールの修正候補は自動計算により求められるため、工程スケジュールの修正候補が適切な場合には、修正候補を入力する手間を省くことができる。
【０１０６】
なお、本実施の形態では、４．工程スケジュール修正処理を管理装置１０で行ったが、これらの処理は携帯端末２０で行うこともできる。この場合には、この処理を携帯端末２０に実行させるためのプログラムを携帯端末２０の処理部のメモリ領域又は図示しない記憶媒体に記憶させればよい。
【０１０７】
また、本実施の形態では、作業結果受信処理（ステップＳ１８）、作業結果分析処理（ステップＳ１９）は、図１３に示すような工程スケジュール修正処理の中で行う必要は無い。すなわち、作業結果分析処理（ステップＳ１９）が作業結果受信処理（ステップＳ１８）の後で行われるのであれば、どのタイミングで行ってもよい。
【０１０８】
＜第３の実施の形態＞
本発明の第３の実施の形態は、携帯端末の位置情報を確認した上で工事又は検査処理を行う形態である。以下、第３の実施の形態に係る建設工事管理システム３について説明する。また、建設工事管理システム２の作用（１．登録処理、２．作業指示送信処理、３．携帯端末を用いた工事又は検査処理、４．工程スケジュール修正処理、５．進捗閲覧処理）のうち、３．携帯端末を用いた工事又は検査処理以外は建設工事管理システム１と同一であるため、３．携帯端末を用いた工事又は検査処理についてのみ説明し、その他の処理については説明を省略する。なお、第１の実施の形態の建設工事管理システム１と同一の部分については、同一の符号を付し、詳細な説明を省略する。
【０１０９】
図１４は、建設工事管理システム３の概略構成を示す図である。このシステムは、主として、管理装置１０、携帯端末２０−１で構成され、携帯端末２０−１は、主として、処理部２１、入力部２２、表示部２３、通信部２４、位置情報取得部２５等で構成される。
【０１１０】
位置情報取得部２５は、ＧＰＳ（グローバル・ポジショニング・システム：Global Positioning System）を用いて、複数のＧＰＳ衛星からの電波を受信して携帯端末２０の位置情報を取得する。位置情報取得部２５は、取得した位置情報を処理部２１へ出力する。なお、位置情報取得部２５では、ＧＰＳを用いて携帯端末２０の位置情報を取得したが、位置情報を取得する方法はこれに限らず、携帯端末２０と通信された基地局の位置から特定される範囲を位置情報として取得するようにしてもよい。
【０１１１】
工事現場情報ＤＢ部１２には、図１５に示すような検査情報テーブルが記憶される。現場情報には、工事現場の現場名等の現場を特定するプロフィール情報と、現場の位置情報とが登録される。現場の位置情報は所定の大きさの矩形エリアで認識され、矩形エリアは、現場の敷地の大きさに所定のマージン（閾値ｙとする）を持たせた大きさに設定する。矩形エリアの大きさを現場の大きさそのものとした場合に、ＧＰＳの誤差等により、現場の敷地内でありながら現場の敷地外であると誤判定されることを防止するためである。閾値ｙは、ユーザが入力部１３を介して入力した指定値とすることができる。
【０１１２】
矩形エリアは、対角線上の２地点（例えば左上の点と右下の点）の位置情報で定義される。本実施の形態では、矩形エリアの左上の点の位置情報を開始位置情報とし、矩形エリアの右下の点の位置情報を終了位置情報とする。位置情報は、緯度と経度（それぞれ度分秒表記）の情報で構成され、検査情報テーブルには、開始位置情報と終了位置情報の位置情報が記憶される。
【０１１３】
図１６は、携帯端末を用いた工事又は検査処理のフローチャートである。この処理は、図５に示す作業指示送信処理により携帯端末２０−１へ作業指示が送信され、携帯端末２０−１が通信部２４を介して作業指示を受信した後で行なわれる。この処理を管理装置１０および携帯端末２０−１に実行させるためのプログラムは管理装置１０や携帯端末２０−１の処理部のメモリ領域又は図示しない記憶媒体に記憶されている。
【０１１４】
作業指示を受信した携帯端末２０−１の処理部２１は、アプリケーションを起動し（ステップＳ７）、作業を行う現場がどこであるかの選択入力を入力部２２を介して受け付ける（ステップＳ８）。
【０１１５】
処理部２１は、ステップＳ７で選択入力された内容を通信部２４を介して管理装置１０に送信する。管理装置１０の処理部１１は、ステップＳ７で選択入力された内容を受信し、その作業の詳細を通信部１５を介して携帯端末２０に送信する（ステップＳ９）。管理装置１０は、作業の詳細として、現場の位置情報、作業名、作業項目、作業開始日、作業終了日等の検査情報テーブルに記載された内容と、作業の具体的な内容とを携帯端末２０に送信する。
【０１１６】
処理部２１は、ステップＳ９で管理装置１０から送信された作業の詳細を通信部２４を介して受信する。作業の詳細が受信されたら、処理部２１は、位置情報取得部２５を介して携帯端末２０−１の現在地の位置情報を取得する（ステップＳ３４）。処理部２１は、ステップＳ８で選択入力された現場の位置情報をステップＳ９で送信されたから作業の詳細から取得する。そして、処理部２１は、携帯端末２０−１の現在地の位置情報が、ステップＳ８で選択入力された現場の位置情報により指定される矩形エリアに含まれるか否かを判断する（ステップＳ３５）。以下、現場の位置情報により指定される矩形エリアに現在地の位置情報が含まれる場合を「現場の位置情報と現在地とが一致」とする。
【０１１７】
現場の位置情報と現在地とが一致しなかった場合（ステップＳ３５でＮＯ）には、作業は行われない。処理部２１は、作業終了を示す指示の入力を促す表示を表示部２３に表示する。作業者が作業終了を示す指示を入力部２２から入力する（ステップＳ１６）と、処理部２１はこれを検出し、アプリケーションを終了する（ステップＳ１７）。
【０１１８】
現場の位置情報と現在地とが一致した場合（ステップＳ３５でＹＥＳ）には、ステップＳ９で送信された情報に基づいて現場の作業の種類を判別する（ステップＳ１０）。
【０１１９】
作業の種類が「工事」であった場合には、処理部２１は、受信した作業の詳細を所定のフォーマットで表示部２３に表示させ（ステップＳ１１）、入力部２２を介して工事結果の入力を受け付ける（ステップＳ１２）
作業の種類が「検査」であった場合には、処理部２１は、受信した作業の詳細を所定のフォーマットで表示部２３に表示する（ステップＳ１３）。作業者は、所定のフォーマットで表示された画面を見ながら検査を行う。作業者により入力部２２を介して検査結果が入力されると、処理部２１は入力結果を受け付ける（ステップＳ１４）。
【０１２０】
処理部２１は、ステップＳ１１又はＳ１３で入力された作業結果を通信部２４を介して管理装置１０へ送信する（ステップＳ１５）。作業者が、半日単位や１日単位などの作業の区切りに、作業終了を示す指示を入力部２２から入力する（ステップＳ１６）と、処理部２１はこれを検出し、アプリケーションを終了する（ステップＳ１７）。
【０１２１】
本実施の形態によれば、作業開始時に位置情報の認証を行うため、各作業が登録されている現場でしか作業を行うことができないようにすることができる。したがって、誤った位置の作業内容が表示されることが無く、安全性を高めることができる。すなわち、誤った位置の作業内容が表示されないため、作業者は作業内容を検索する必要が無く、速やかな操作が可能となる。また、各作業が登録されている現場でしか位置の作業内容が表示されないため、現場以外の場所では作業内容等の閲覧ができず、万一検体を紛失した場合においても作業内容等が閲覧されることが無く、安心である。
【０１２２】
なお、本実施の形態では、ステップＳ９で管理装置１０から送信された作業の詳細を通信部２４を介して受信し、携帯端末２０の処理部２１で現場の位置情報と現在地とが一致するか否かを判断したが、現場の位置情報と現在地とが一致するか否かを判断するのは管理装置１０で行なってもよい。その場合には、処理部２１は、ステップＳ３４で取得した携帯端末２０−１の現在地の位置情報を、通信部２４を介して管理装置１０へ送信すればよい。そして、現場の位置情報と現在地とが一致する場合（ステップＳ３５でＹＥＳ）に作業の詳細を通信部１５を介して携帯端末２０に送信すればよい。
【０１２３】
また、本実施の形態では、現場の敷地の大きさに所定のマージンを持たせた大きさで矩形エリアを設定したが、矩形エリアの設定の方法はこれに限られない。例えば、現場の敷地の大きさとして対角線上の位置情報が入力された場合には、入力された対角線上の位置情報から現場の矩形領域をＳ把握し、その矩形領域の幅、高さの所定の割合をマージンとして持たせるようにしてもよい。
【０１２４】
本発明は、管理装置、携帯端末を備えた建設工事管理システムに限らず、管理装置単体として提供しても良いし、建設工事管理システム、管理装置、携帯端末に適用するプログラムとして提供することもできる。
【符号の説明】
【０１２５】
１、２、３：建設工事管理システム、１０：管理装置、２０：携帯端末
【図１】
2011053806.tif 000003
【図２】
2011053806.tif 000004
【図３】
2011053806.tif 000005
【図４】
2011053806.tif 000006
【図５】
2011053806.tif 000007
【図６】
2011053806.tif 000008
【図７】
2011053806.tif 000009
【図８】
2011053806.tif 000010
【図９】
2011053806.tif 000011
【図１０】
2011053806.tif 000012
【図１１】
2011053806.tif 000013
【図１２】
2011053806.tif 000014
【図１３】
2011053806.tif 000015
【図１４】
2011053806.tif 000016
【図１５】
2011053806.tif 000017
【図１６】
2011053806.tif 000018